(57)【特許請求の範囲】
【請求項１】
前面に露光開口、一側面にスリット状の排出口が形成されたパックケースに複数枚のインスタントフイルムを積層して収納し、かつ最上層のインスタントフイルムと露光開口との間には遮光板が挿入されたインスタントフイルムパックにおいて、
前記パックケースの背面に、インスタントフイルムを前記露光開口に向けて押圧する押圧部材をパックケースの内部に進入させるための押圧開口を形成し、
前記押圧開口を覆う柔軟な遮光シートの一端を前記遮光板の後端に固着し、遮光板をその先端から前記排出口を通して排出することにより遮光シートの引き出しが行われるようにしたことを特徴とするインスタントフイルムパック。
【請求項２】
前面に露光開口、一側面にスリット状の排出口が形成されたパックケースに複数枚のインスタントフイルムを積層して収納したインスタントフイルムパックにおいて、
前記パックケースの背面に、インスタントフイルムを前記露光開口に向けて押圧する押圧部材をパックケースの内部に進入させるための押圧開口を形成するとともに、この押圧開口をパックケース外から光密に覆う柔軟な帯状の遮光シートを前記排出口と対向する側面側で折り曲げ、前記押圧開口を二重に覆ってから前記排出口を覆い、さらに露光開口を覆ってからその上に重ねられた遮光板の後端に固着したことを特徴とするインスタントフイルムパック。
【発明の詳細な説明】
【０００１】
【産業上の利用分野】
本発明は、インスタントカメラに用いられるインスタントフイルムパックに関し、更に詳しくは、容易にリサイクルを図ることができるようにしたインスタントフイルムパックに関するものである。
【０００２】
【従来の技術】
撮影後直ちに現像処理された画像記録シートを得ることのできるインスタントカメラは、学術分野での記録や、迅速性を要する現場撮影などに広く用いられている。このようなインスタントカメラは、ハードプラスチックで成形されたインスタントフイルムパックを装填して使用するものが一般的である。
【０００３】
このインスタントフイルムパックは、従来、モノシートタイプの自己現像処理型インスタントフイルムが複数枚重ねられて収納されており、その構造はインスタントフイルムを収納するためのパック本体の他に、露光をインスタントフイルム面に与えるための露光開口，露光後のインスタントフイルムを排出するための排出口，インスタントフイルムを露光窓の背面に当接するように押圧する金属製の板状の押圧部材などからなっていた。
【０００４】
【発明が解決しようとする課題】
しかしながら、前記押圧部材は通常、平板状の金属板をプレス加工によって枠切り、及び押圧のためのバネ部を形成し、それをフイルムパックに溶着するため、インスタントフイルムパック全体のコストが上昇し、構造も複雑にならざるを得なかった。さらに、上述したようにインスタントフイルムパックは複雑な構造を有する高価なものであるにもかかわらず、撮影完了後には無用の長物と化すことになり、環境問題や資源の有効活用（再生使用）等の面から、樹脂ケースと金属製の押圧部材を分別して廃棄しなくてはならず、たいへん手間がかかっていた。
【０００５】
本発明は、上記の事情を考慮してなされたもので、インスタントフイルムパックに収容されたインスタントフイルムを押圧するための押圧部材を有するインスタントカメラを利用することにより、インスタントフイルムパックの構造を簡略化して製造コスト削減し、かつ使用後に容易にリサイクルを図ることが可能なインスタントフイルムパックを提供することを目的とする。
【０００６】
【課題を解決するための手段】
上記目的を達成するために、インスタントフイルムパックのパックケース背面に、インスタントフイルムを露光開口に向けて押圧する押圧部材をパックケースの内部に進入させるための押圧開口を形成し、この押圧開口を覆う柔軟な遮光シートを設けるとともに、この遮光シートの一端を、パックケースの露光開口を覆う遮光板の後端に固着し、遮光板をその先端からインスタントフイルムの排出口を通して排出することにより遮光シートの引き出しが行われるようにしたものである。
【０００７】
また、特許請求の範囲第２項においては、インスタントフイルムパックのパックケースの背面に、インスタントフイルムを露光開口に向けて押圧する押圧部材をパックケースの内部に進入させるための押圧開口を形成し、この押圧開口をパックケース外から光密に覆う柔軟な帯状の遮光シートをインスタントフイルムの排出口と対向する側面側で折り曲げ、前記押圧開口を二重に覆ってから排出口を覆い、さらに露光開口を覆ってからその上に重ねられた遮光板の後端に固着したものである。
【０００８】
【実施例】
以下、本発明の実施例を図面を参照して説明する。図１は、本発明を実施したインスタントフイルムパックを示す断面図であり、図３は、その外観斜視図である。インスタントカメラに内蔵されるインスタントフイルムパック２は、パックケース３と、これに内蔵されるインスタントフイルム４、遮光板５、遮光シート６、及び弾性板７からなっている。
【０００９】
パックケース３は、黒色の遮光性の熱可塑性樹脂、或いはパルプ等の比較的硬質の材料で成形されたもので、前面にインスタントフイルム４の露光開口８、背面にカメラ側に設けられた後述する圧板が挿入されるための押圧開口９、及び上面に遮光板５、遮光シート６、インスタントフイルム４が排出されるためのフイルム出口１１が設けられている。また、前面下部には、使用開始時に遮光板５を、また撮影終了毎に露光済みフイルムを、フイルム出口１１から各々押し出すための、カメラ側に設けられたクロー１０が挿入される溝１２が設けられている。
【００１０】
モノシートタイプで自己現像処理型のインスタントフイルム４は、感光材料が塗布された露光シート４ａの上部には、現像処理液ポッド４ｂが設けられている。そして、露光シート４ａの露光面が露光開口８方向に向けられた状態で、パックケース３内に積層して収納されている。
【００１１】
遮光板５は、黒色の遮光性の比較的硬質の材料を板状に成形したもので、パックケース３の露光開口８とインスタントフイルム４の間に挿入され、露光開口８をパックケース３の内側から光密に覆っている。また、遮光板５の下部には、後述する遮光シート６の一端が固着している。
【００１２】
遮光シート６は、軟質の遮光性樹脂シートでできており、一端が遮光板５の下部に固着され、他端はパックケース３の下部を回り込んで弾性板７と押圧開口９の間に展開して、押圧開口９を光密に覆っている。そして、使用開始時に遮光板５がフイルム出口１１から引き出された時に、一体に排出されるようになっている。
【００１３】
弾性板７は、樹脂若しくは紙を板状に成形したもので、インスタントフイルム４の裏面と遮光シート６の間に挿入されている。この弾性板７は、カメラ側に設けられた後述する圧板が押圧開口９に挿入されたときの、インスタントフイルム４に対する押圧の緩衝材としての役目をもっている。
【００１４】
次にこれらの実施例の作用を説明する。図５は、本発明のインスタントフイルムパックが使用されるインスタントカメラの外観斜視図であり、図４は、その断面図である。また、図２は、インスタントカメラのインスタントフイルムパック付近の断面図である。インスタントカメラ本体１５は携帯が容易なように、撮影時に撮影レンズ２０などを備えた前面の突出部１６が突出するようになっている。
【００１５】
撮影者は、予めインスタントカメラ本体１５の裏蓋１７を開けて、インスタントフイルムパック２をフイルム室１８にセットする。そして、裏蓋１７を閉めると、裏蓋１７の内側に突設された圧板１９の一部が、押圧開口９を通じてインスタントフイルムパック２内部に入り込み、図２、３のように遮光シート６と弾性板７を介して、インスタントフイルム４を露光開口８方向に端部を湾曲させて押圧する。
【００１６】
裏蓋１７が完全に閉められると、インスタントカメラ本体１５下部に設けられた図３に示したクロー１０がインスタントフイルムパック２の溝１２に入り込み、遮光板５の下部を上方に押圧して、遮光板５の先端をフイルム出口１１から排出する。フイルム出口１１から排出された遮光板５は、インスタントカメラ本体１５上部に設けられた展開ローラ２１の回転により、インスタントカメラ本体１５上部の開口２２から排出される。
【００１７】
遮光板５が開口２２方向に展開ローラ２１で引き出されると同時に、遮光板５の端部に固着している遮光シート６は、インスタントフイルム４の下端部とパックケース３の下部との間を回り込みながら、露光開口８とインスタントフイルム４の間を摺動して、フイルム出口１１から開口２２へ遮光板５と一体となって排出される。なお、展開ローラ２１は遮光板５を開口２２から排出した時点で停止するので、その後は撮影者が手で遮光板５を引っ張ることにより、遮光シート６を開口２２から引き出すようになっている。
【００１８】
遮光板５及び遮光シート６が完全にインスタントカメラ本体１５外部に排出されると、圧板１９はインスタントフイルム４の１枚目を露光開口８に押しつけ、撮影が可能になる。そしてシャッタボタン２３を押して撮影を完了すると、再びクロー１０が作動して１枚目のインスタントフイルム４をフイルム出口１１から押し出す。
【００１９】
そして、展開ローラ２１は、クロー１０の作動とほぼ同時に回転を開始し、押し出されたインスタントフイルム４の端部を挟持すると、その回転力により、開口２２からインスタントフイルム４を排出する。このとき、インスタントフイルム４の現像処理液ポッド４ｂが展開ローラ２１に押しつぶされて、内部の現像液が露光シート４ａ全面に展開されるため、開口２２から排出されたインスタントフイルム４は、数分でたった今撮影した被写体の鮮明な画像があらわれる。
【００２０】
こうして、最後のインスタントフイルム４まで全て撮影され、排出されたあとは、インスタントカメラ本体１５の裏蓋１７を開けて、パックケース３と弾性板７だけとなった使用済みのインスタントフイルムパック２を取り出す。
【００２１】
そして取り出された使用済みのインスタントフイルムパック２と、始めに引き出された遮光板５、遮光シート６は、すでに前述したように樹脂又は紙等の単一素材であり、従来のような金属製の圧板等は含まれていないので、分解して材料別に分別などをすることなく、このままリサイクル工程への投入、或いは廃棄が可能であるため大変便利である。
【００２２】
図６、７、８は、本発明を実施したインスタントフイルムパックの、別な実施例の断面図である。インスタントフイルムパック３１は、前実施例と同様、パックケース３２と、これに内蔵されるインスタントフイルム４、及び遮光板３６、遮光シート３５、薄い弾性板３９からなっている。しかし、前実施例では、遮光板及び遮光シートは使用開始前はパックケースの内側に収納されていたが、本実施例では、パックケース３２の外側に遮光板３６及びこれと一体となった遮光シート３５を、引き剥がし可能なように貼付したものである。
【００２３】
インスタントフイルムパック３１のパックケース３２内には、インスタントフイルム４と弾性板３９が収納されている。そして、パックケース３２の外側には、パックケース３２の正面に設けられた露光開口３３と背面に設けられた押圧開口３４を、軟質の遮光性樹脂シートでできた遮光シート３５が、各々下部で折り返されるように２重に貼付され、光密に覆っている。さらに遮光シート３５の一端は、黒色の遮光性の硬質樹脂、パルプ等を板状に成形した遮光板３６に固着されている。そして、この遮光板３６は、露光開口３３を覆っている遮光シート３５の表面に、露光開口３３を塞ぐように貼付されている。
【００２４】
上記インスタントフイルムパック３１の使用開始時には、インスタントカメラにセットされた後、カメラ側のクロー３７によって遮光板３６が押し出され、図７のように遮光シート３５の遮光板３６との固着部付近を屈曲させて、露光開口３３と遮光シート３５との貼付を引き剥がしながら、まず遮光板３６が排出される。
【００２５】
つぎに、パックケース３２の露光開口３３側の上面まで引き剥がされた遮光シート３５は、さらに撮影者により排出された遮光板３６を引っ張られることにより、図８に示したように、押圧開口３４側の２重に貼付された遮光シート３５の折り返し部分を上に移動させながら、パックケース３２の上面を通じて引き剥がされる。
【００２６】
この時、遮光シート３５は露光開口３３と押圧開口３４を各々下部で折り返されるように２重に覆っているので、遮光シート３５が露光開口３３と押圧開口３４に、外部からの押圧等に耐えうるような一定の粘着力で貼付されていても、遮光シート３５が引き出される際には、貼付している遮光シート３５が折り返した端部から各々引き剥がされるように排出されていくので、大きな引き出し力を必要とすること無く、容易に排出が可能である。こうして、パックケース３２の回りに貼付された遮光板３６と遮光シート３５を完全に引き剥がしてカメラ外に排出すると、撮影が可能となる。
【００２７】
このようなインスタントフイルムパック３１も、全数撮影後は前実施例と同様、遮光板３６、遮光シート３５は、いずれも金属等は含まれていないので、分解して材料別に分別などをすることなく、このままリサイクル工程への投入、或いは廃棄が可能であるため大変便利である。
【００２８】
また、以上述べた２つの実施例のインスタントフイルムパックは、何れも金属製の押圧部材等が含まれていないので、平板状の金属板を枠切りし、プレス加工によって押圧部材である圧板を作り、バネ圧力を調整してパックケースに組み込むという手間の掛かる作業の省略が可能となり、インスタントフイルムパックの大幅な生産効率化とコストの削減が可能になった。
【００２９】
【発明の効果】
以上のように、本発明のインスタントフイルムパックにより、インスタントフイルムパックに収容されたインスタントフイルムを押圧するための押圧部材を有するインスタントカメラを利用することにより、インスタントフイルムパックの構造を簡略化して製造コスト削減し、かつ使用後に容易にリサイクルを図ることが可能なインスタントフイルムパックを提供することができる。
【図面の簡単な説明】
【図１】本発明を実施したインスタントフイルムパックの断面図である。
【図２】図１のインスタントフイルムパックの、遮光板排出時の断面図である。
【図３】図１のインスタントフイルムパックの、外観斜視図である。
【図４】本発明を実施したインスタントフイルムパックがカメラに装填されたときの断面図である。
【図５】本発明のインスタントフイルムパックが装填可能なカメラの外観斜視図である。
【図６】本発明の別の実施例を示す断面図である。
【図７】本発明の別の実施例を示す断面図である。
【図８】本発明の別の実施例を示す断面図である。
【符号の説明】
２  インスタントフイルムパック
３  パックケース
４  インスタントフイルム
５  遮光板
６  遮光シート
８  露光開口
９  押圧開口
１０  クロー
１９  圧板
【図１】
0003558362.tif 000002
【図２】
0003558362.tif 000003
【図３】
0003558362.tif 000004
【図４】
0003558362.tif 000005
【図５】
0003558362.tif 000006
【図６】
0003558362.tif 000007
【図７】
0003558362.tif 000008
【図８】
0003558362.tif 000009